(57)【要約】【課題】ＥＬ素子を備えた複数のパネルを接合することによって１つのパネルに比べて大きい面積を照射することができかつ、隣り合うパネル間の繋ぎ目部分が暗くなるのを抑制することができる照明装置を提供する。【解決手段】透明基板１３と、前記透明基板１３上に有機ＥＬ素子１４とを備えたパネル１１が複数並んで隣り合う前記パネル１１の前記透明基板１３の端面同士が対向するように配置された照明装置１０であって、隣り合う前記パネル１１は、前記透明基板１３の端面間に光散乱手段１２が設けられている。【選択図】図１
2005183352.tif 000002
【特許請求の範囲】
【請求項１】
透明基板と当該透明基板上に設けられたＥＬ素子とを備えたパネルが複数隣り合って並んで構成された照明装置であって、
隣り合うパネル同士は、互いの透明基板の端面同士が対向するように配置され、
隣り合うパネル間における少なくとも透明基板の端面間に光散乱手段が設けられていることを特徴とする照明装置。
【請求項２】
前記透明基板は、隣り合うパネルの透明基板と接着手段を介して接合され、
前記接着手段は、少なくとも固化時に前記光散乱手段としての機能を発揮する請求項１に記載の照明装置。
【請求項３】
前記光散乱手段は、ゲルで構成されている若しくはゲルを主体として構成されている請求項１に記載の照明装置。
【請求項４】
光出射面と当該面に相対する側に設けられた光入射面とを備えた透明基板と、当該透明基板の光入射面上に設けられたＥＬ素子とを有するパネルが複数並べられて構成された照明装置であって、
前記照明装置は、
各パネルにおける光入射面又は光出射面が、概略同一の平面状に位置し、各パネルにおけるＥＬ素子が当該平面を基準として同一側に存在するように配置され、
さらに、各透明基板の端面にそれぞれ光散乱構造が設けられており、
前記ＥＬ素子から発せられた光を、光出射面側から外部へ取り出す照明装置。
【請求項５】
隣り合うパネルの透明基板間に光散乱手段が備えられた請求項４に記載の照明装置。
【請求項６】
前記照明装置は、透明基板よりも光出射面側に散乱板を備えている及び／または透明基板の光出射面に凹凸が設けられている請求項１〜請求項５のいずれか一項に記載の照明装置。
【請求項７】
光出射面と当該面に相対する側に設けられた光入射面とを備えた透明基板と、当該透明基板の光入射面上に設けられたＥＬ素子とを有するパネルが複数並べられて構成された照明装置であって、
前記照明装置は、
各パネルにおける光入射面又は光出射面が、概略同一の平面状に位置し、各パネルにおけるＥＬ素子が当該平面を基準として同一側に存在するように配置され、
透明基板よりも光出射面側に散乱板を備えている及び／または透明基板の光出射面に凹凸が設けられている照明装置。
【請求項８】
前記照明装置は、さらに、隣り合うパネル間に光散乱手段が設けられた請求項７に記載の照明装置。
【請求項９】
複数のパネルにおけるＥＬ素子が電気的に直列に接続されている請求項１〜請求項８のいずれか一項に記載の照明装置。
【発明の詳細な説明】
【技術分野】
【０００１】
本発明は照明装置に関する。
【背景技術】
【０００２】
従来、透明基板上にＥＬ素子（エレクトロルミネッセンス素子）を備えた照明装置が提案されており、この照明装置を、例えば液晶表示装置のバックライトとして用いた技術も提案されている。ＥＬ素子として大面積のものが要求されているが、ＥＬ素子は非常に薄く、ＥＬ層の厚さは数十〜数百ｎｍ程度であるため、ＥＬ層を広い面積に均一に成膜するのは難しく、作製された製品に輝度ムラができてしまったり、発光しない部分ができてしまったりしてしまい、歩留まりが悪くなる。
【０００３】
上記問題に鑑み、基板上にＥＬ素子が形成されたパネル（セル、ＥＬパネル）を複数並べて配置することで、出射面積を広くする従来技術が種々提案されている。
例えば、ＥＬ素子を１つのユニットからなるセルとし、このセルを多数並べて大面積の表示装置やＥＬパネルを製作する第一の従来技術が提案されている（例えば、特許文献１参照。）。
また、複数のＥＬ表示パネルを接着して大面積のＥＬ表示装置を構成し、隣接するＥＬパネルの接合部を目立たなくした表示装置に関する第二の従来技術も提案されている（例えば、特許文献２参照。）。
【０００４】
第二の従来技術に係るＥＬ表示装置は、ガラス基板、走査画素電極としてのＩＴＯ（インジウム錫酸化物）、有機ＥＬ発光層及び信号画素電極としての金属電極からなる小型パネルを４枚接合することにより小型パネルよりも大きいＥＬ表示装置を形成している。また、各小型パネルは、接着剤により各々の小型パネルが接着されている。接着剤は、その屈折率が可視光領域を２分割した短波長側の領域、例えば、４００ｎｍ以上６００ｎｍ以下の波長域でガラス基板の屈折率と一致するように屈折率の波長分散を調整したものが使用されている。接着剤としては紫外線硬化型接着剤、高分子系接着剤等のうちの１つを用いるかまたは、屈折率の異なる２種類以上を混合したものが挙げられている。
【０００５】
以上のような従来技術を用いて表示面積が大きな面積の照明装置を作製する場合、隣接するパネル間における輝度（光出射量）の問題を解決することは不可避である。
各パネルは、陽極及び陰極を外部の駆動用回路等に接続するための端子電極や電極接続線を必要とし、それらの端子電極や電極接続線は一般に、基板におけるＥＬ素子が形成された部分の周囲（基板の周縁部）に設けられる。そのため、この部分、すなわち周縁部からは光が出射されない。
したがって、作製された照明装置は、光を発する部分（ＥＬ素子が設けられた部分）と光を発しない部分（ＥＬ素子が設けられていない部分）とができてしまい、輝度ムラや暗線等の表示不良が目視で確認されてしまう可能性が極めて高い。
【０００６】
そこで、ＥＬシートのつなぎ目において、一方のＥＬシートは、他方のＥＬシートの周縁部の一部の上に重ね合わせてあり、少なくとも上記他方のＥＬシートと重ね合わされる部分が上記周縁電極を省略されてその端部まで発光するように構成する第三の従来技術も提案されている（例えば、特許文献３を参照。）。
【特許文献１】特開２００１−５２８５８号公報（明細書の段落［０００８］、［０００９］）
【特許文献２】特開２００１−１７５２０４号公報（明細書の段落［００３５］、［００３６］、図１、図３）
【特許文献３】特開２００１−１２６８７１号公報（明細書の段落［０００８］、［０００９］、［００１８］、［００２０］）
【発明の開示】
【発明が解決しようとする課題】
【０００７】
しかしながら、第三の従来技術は、ＥＬシートを「重ね合わせる」必要があるため、光出射面が平坦な照明装置を作製するには、ＥＬシートにおける基板をポリエチレンテレフタレートのフィルム等、フレキシブルなものを採用しなければならない。また、二枚のシートを重ね合わせた部分では、少なくとも一方のシートは、他方のシートの「裏側／下側」になるように曲げたり折り曲げたりする必要があるため、少なくともこの部分では有機ＥＬ素子の各層に応力が加わってしまう。したがって、折り曲げ等した場合であっても発光性能等に影響のない材料や製法等を選択しなければならない。このように、第三の従来技術を用いる場合には、採用可能な材料や製法等が極めて限定されてしまう。
【０００８】
また、第三の従来技術では、重ね合わせる一方のシートの端部（周辺電極やその付近の有機ＥＬ素子）をカッターなどで「切り落とす」必要がある。一方、有機ＥＬ素子は一般に、空気や水分等によって変質や劣化等してしまう。したがって、第三の従来技術を用いる場合、有機ＥＬ素子の切断面を別途保護する必要が生じる。有機ＥＬ素子が切断時に受ける圧力や熱によって変質等してしまう可能性もあるため、カッター等の切断手段の選択や、切断による悪影響を受けない材料や製法の選択などを行う必要があり、採用可能な材料や製法等がさらに限定される可能性がある。
【０００９】
さらに、各ＥＬシートが同一形状でないという問題がある。第三の従来技術では、同一のＥＬシートを用いてはいるが、これの端部を、配置される場所に応じて「切り落とす」必要があり、その具体例が種々紹介されている。しかし、作製された照明装置を考えると、各シートの形状は、それぞれ異なったものとなってしまう。すなわち、ＥＬシートの配置位置に合わせてＥＬシートの形状（構成）を変えなければならない。そのため、実質的に形状の異なる複数のシートを所定の位置に配置して組み合わせて製造しなければならない。
作製された照明装置において、その内の一枚若しくは複数枚のＥＬシートを交換する場合、もとのシートと同一形状のシートを用意しなければならない。
【００１０】
本発明は、新規な構成の、パネル間における輝度と他の場所の輝度との差を小さくした照明装置を提供することを目的とする。
【課題を解決するための手段】
【００１１】
上記の目的を達成するために、本発明に係る第一の照明装置は、透明基板と、前記透明基板上にＥＬ素子とを備えたパネルが複数並んで隣り合う前記パネルの前記透明基板の端面同士が対向するように配置された照明装置であって、隣り合う前記パネルは、前記透明基板の端面間に光散乱手段が設けられている。すなわち、透明基板と当該透明基板上にＥＬ素子とを備えたパネルが複数並んで隣り合って構成された照明装置であって、隣り合うパネル同士は、互いの透明基板の端面同士が対向するように配置され、隣り合うパネル間における透明基板の端面間に光散乱手段が設けられている。
【００１２】
第一の照明装置は、隣り合う前記パネルは、接着手段を介して接合され、前記接着手段が前記光散乱手段として機能するようにしてもよい。つまり、透明基板は、隣り合うパネルの透明基板と接着手段を介して接合され、接着手段は光散乱手段としての機能を備えるようにしてもよい。
また、第一の照明装置は、隣り合う前記パネルは、前記パネルの前記透明基板の端面間にゲル状体を有しており、前記ゲル状体が前記光散乱手段として機能するようにしてもよい。すなわち、光散乱手段は、ゲルで構成されている若しくはゲルを主体として構成されているゲル状体としてもよい。
【００１３】
本発明に係る第二の照明装置は、光出射面と当該面に相対する側に設けられた光入射面とを備えた透明基板と、当該透明基板の光入射面上に設けられたＥＬ素子とを有するパネルが複数並べられて構成された照明装置であって、照明装置は、各パネルにおける光入射面又は光出射面が、概略同一の平面状に位置し、各パネルにおけるＥＬ素子が当該平面を基準として同一側に存在するように配置され、さらに、各透明基板の端面にそれぞれ光散乱構造が設けられている、前記ＥＬ素子から発せられた光を透明基板の光出射面を通して外部へ取り出す照明装置である。
第二の照明装置は、隣り合うパネルの透明基板間に光散乱手段を備えていてもよい。
【００１４】
第一、第二の照明装置は、透明基板の光出射面上に散乱板を備えていてもよく、透明基板の光出射面に凹凸を設けてもよい。
【００１５】
本発明に係る第三の照明装置は、光出射面と当該面に相対する側に設けられた光入射面とを備えた透明基板と、当該透明基板の光入射面上に設けられたＥＬ素子とを有するパネルが複数並べられて構成された照明装置であって、照明装置は、各パネルにおける光入射面又は光出射面が、概略同一の平面状に位置し、各パネルにおけるＥＬ素子が当該平面を基準として同一側に存在するように配置され、透明基板よりも光出射面側に散乱板を備えている照明装置である。
【００１６】
第三の照明装置において、透明基板の光出射面に凹凸を設けてもよい。
第三の照明装置は、さらに、隣り合うパネル間に光散乱手段が設けられていてもよい。
【００１７】
第一〜第三の照明装置は、複数の前記パネルが電気的に直列に接続されていてもよい。すなわち、複数のパネルにおける複数のＥＬ素子が電気的に直列に接続されていてもよい。
【００１８】
なお、本明細書において、「光散乱手段」とは、入射した光の進行方向を様々な方向へ変換する（散乱させる機能を有する）手段のことを意味する。
「光散乱構造」とは、入射した光の進行方向を様々な方向へ変換する構造、例えば、凹凸のような形状や屈折率の異なる複数の部材の組合せを指す。
「透明」とは、入射された光の一部又は全部を透過することを言う。波長ごとに透過率が異なっていてもよい。
「光」とは、一般には３８０ｎｍ〜８００ｎｍ程度の可視光を指すが、赤外線や紫外線等の電磁波を含めた概念として用いている。
「散乱」とは、反射や屈折により入射された光の進行方向を変換することを言う。
【発明の効果】
【００１９】
本発明によれば、新規な構成の、基板の周縁部・パネル間における輝度と他の場所の輝度との差を小さくした照明装置を提供できる。
【発明を実施するための最良の形態】
【００２０】
まず、本発明の第１の実施形態に係る照明装置について、図面を用いて説明する。
図１は、照明装置の模式断面図である。図２は、照明装置の模式平面図である。
【００２１】
（第１の実施形態）
［基本構成］
図２に示すように、照明装置１０は、パネル１１が複数並んで接合されることによって形成され、本実施形態では、それぞれ概略同一構成の９枚のパネル１１が３行３列のマトリックス状に配設され、隣り合うパネル１１同士は、光散乱手段としての接着剤の凝固体（接着剤）１２によって、少なくとも透明基板同士がそれぞれ接合されている。
【００２２】
パネル１１は、透明基板１３と、透明基板１３上に形成されたＥＬ素子としての有機ＥＬ素子１４とを備えており、有機ＥＬ素子から発せられた光が透明基板１３を介して照明装置外部へ取り出される（出射される）、ボトムエミッションタイプの有機ＥＬデバイスとして構成されている。
【００２３】
なお、パネル１１の配列は、３行３列のマトリックス状に限定されず、１列や２列、あるいは４列以上に配列してもよい。また、パネル１１の数も、照明装置１０の目的とする照射面積に応じて任意に変更することができる。
以下、各構成要素についてより詳細に説明する。
【００２４】
［透明基板１３］
透明基板１３は、光出射面１３ａと、当該面に相対する側に概略平行に設けられた光入射面１３ｂと、を備える透明な基板であればよく、公知の有機ＥＬ素子に用いられる透明基板を適宜採用できる。例えば、ガラスや透明樹脂で構成された基板を選択できる。また、同種又は異種の材料の層を積層して作製された基板も採用できる。
【００２５】
［有機ＥＬ素子１４］
有機ＥＬ素子１４は、第１電極１５、有機ＥＬ層１６及び第２電極１７が順次積層された構成をとり、好ましくは、有機ＥＬ層１６等が外気と接しないように、保護膜１８で被覆されている。
【００２６】
第１電極１５及び第２電極１７は、一方が陽極を構成し、他方が陰極を構成する。
有機ＥＬ層１６を基準として光取出側に設けられた（有機ＥＬ層１６に対して発光の取り出し方向側に形成された）電極である第１電極１５は透明電極とされる。他の電極、すなわち第２電極１７は、一般には光反射性を有する電極（反射電極）として構成される。
【００２７】
第１電極１５は、例えば、ＩＴＯやＩＺＯ等の透明導電材によって形成することができ、また、アルミニウムやクロム等の金属やこれらの合金を光が透過可能な膜厚とした電極も形成できる。このように金属や合金等によって第１電極を形成する場合には、これらの層（金属層）の膜厚は、一般には、５０ｎｍ以下の膜厚とし、好ましくは０．５〜２０ｎｍの範囲の膜厚とされる。
【００２８】
第２電極は、有機ＥＬ層１６にキャリアを注入できる導電材料で形成されていればよく、前記したように反射電極として構成される場合には、アルミニウムやクロム等の金属やこれらの合金、高分子導電性材料等、公知の有機ＥＬ素子の第２電極形成用の材料を適宜採用できる。当然、第１電極と同様に透明電極としてもよく、また、同種又は異種の材料の層を積層した構造の電極としてもよい。
【００２９】
なお、第１電極１５に採用される材料と、第２電極１７に採用される材料との仕事関数を比較すると、一般的には第１電極１５を陽極とし、第２電極１７を陰極とすることが好ましい。
【００３０】
有機ＥＬ層１６は、公知の有機ＥＬ素子に採用される有機ＥＬ層が選択され、Ａｌｑ３やＤＣＭ１、クマリン誘導体等の有機発光材料が含有された発光層を少なくとも含まれる。また、有機ＥＬ層１６は、発光層のみで構成された単層構造としてもよく、発光機能を担う層を含む各種機能層を備えた積層構造としてもよい。例えば、第１電極１５側から順に正孔注入層、発光層及び電子注入層の３層で構成したり、正孔注入層、正孔輸送層、発光層及び電子輸送層の４層で構成したりしてもよい。
【００３１】
有機ＥＬ層１６を構成する各機能層は、それぞれ単層で構成されていてもよく、複数の層で構成されていてもよい。したがって、例えば、発光層を複数の層で構成してもよい。このように発光層を複数の層で構成した場合、例えば、赤色の光を発する層と、緑色の光を発する層と、青色の光を発する層とを積層して白色発光する有機ＥＬ素子１４としてもよい。当然、他の色を発する層とすることもできる。また、以上のような層（狭義の発光層）を並べることで、複数の波長の光を発する照明装置を作製することもできる。
【００３２】
発光色の調整は、発光層等に含有させる材料の選択や、発光層をはじめとする有機ＥＬ層１６を構成する各層の膜厚の調整、有機ＥＬ素子１４に印加する電圧の調整、発光層よりも光取出側の層（透明基板等の有機ＥＬ層１６以外の層を含む）に波長変換層を設ける、といった手法により適宜調整すればよい。
【００３３】
また、照明装置１１から外部へ出射される光の純度を高くするために、カラーフィルタ等を用いてもよい。この際、有機ＥＬ素子１４よりも光取出側に、光の透過量を調整するシャッター手段としての液晶表示パネル等を配置し、各位置（画素、サブピクセル）から出射される光の量を調整することで画像を表示することもできる。つまり、照明装置１０を液晶表示装置のバックライトとして使用することもできる。
【００３４】
なお、有機ＥＬ素子１４は、その内の複数（全部を含む）が電気的に直列に接続された構成としてもよい。このように構成すれば、直列に接続された有機ＥＬ素子１４にはそれぞれ同一の量の電流が流れるため、各素子から発せられる光の量を概略同一にすることも可能となる。有機ＥＬ素子１４は、一般に、流される電流の大きさと輝度とが比例するからである。
また、電圧駆動する素子（例えば無機ＥＬ素子）では、並列に接続した構成にすれば、各素子に同一の大きさの電圧を印加することが可能となる。
ただし、各有機ＥＬ素子１４の電気的な接続方法は、上記した例に限定されるものではなく、それぞれ独立に駆動してもよく、また、互いに直列に接続された有機ＥＬ素子１４の組を並列に接続してもよい。
【００３５】
保護膜１８は、第１電極１５、有機ＥＬ層１６及び第２電極１７の互いに隣接する面以外の部分を覆うように形成されている。保護膜１８は、少なくとも水分（水蒸気）及び酸素の透過を抑制する機能を有する材料で形成され、保護膜１８の材料としては、例えば、酸化ケイ素、窒化ケイ素、ポリシラザン等が使用される。また、保護膜には、その他の機能を付与することができ、例えば、外圧から有機ＥＬ素子１４を守る機能や、上記した以外のガス等から保護する機能等を付与することができる。
なお、保護膜（パッシベーション膜）１８の代わりに、若しくは保護層１８と共に、封止缶を設けてもよい。
【００３６】
［接着剤１２］
図１に示すように、照明装置１０は、各パネル１１が、隣接するパネル１１と、少なくともそれぞれの透明基板１３の端面において、接着手段及び光散乱手段としての接着剤（接着剤固化体、以下単に「接着剤」と表記する。）１２により接着されている。
【００３７】
接着剤１２は、隣り合うパネル１１同士を接合するための接着手段としての機能と、パネル１１から入射した光を散乱させる光散乱手段としての機能とを備えている。接着剤１２は、透明基板１３と接着（密着）しており、また、パネル１１の透明基板１３における光出射面１３ａ以外から出射される光の多くは透明基板１３の端面に到達する。透明基板１３の端面に到達した光は、接着剤１２に入射される。このように接着剤１２に入射された光は、上記光散乱手段によってその進行方向が変えられ、一部は接着剤１２から装置外部（光出射方向）へ出射され、一部は透明基板１３に再度入射する。透明基板１３に入射した光は、光散乱手段によって光出射面１３ａを基準とした際の進行方向が変えられているため、その一部又は全部が光出射面１３ａから外部へ出射される。
【００３８】
接着剤１２は、透明な主部中に、この主部とは屈折率の異なる透明なビーズや気泡等の部材を含有したり、セラミックスや金属等による粉など、光反射性を備えた部材を含有したりする。これにより、接着剤１２が光散乱機能を有する。
なお、接着剤１２の、透明基板１３を基準にして光入射面１３ｂ側に反射部材を設けてもよい。
【００３９】
［散乱板１９］
透明基板１３の光出射面１３ａ上には、散乱板１９が好ましく貼付される。散乱板１９は、光出射面１３ａや接着剤１２から出射された光を散乱させる。散乱板１９としてはは、例えば、プリズムシートや、透明な板の中に散乱部材含有された板、透明な板の表面に光を散乱させる程度の大きさの凹凸が形成された板などが使用される。
【００４０】
なお、散乱板１９は、好ましくは、透明基板１３の光出射面１３ａ及び／又は接着剤１２の光出射面側に密着される。このように密着されていれば、散乱板１９の光入射側で反射される光の量を極めて少なくすることができる。
次に、照明装置１０の作用を説明する。
【００４１】
［作用］
照明装置１０の有機ＥＬ素子１４は、図示しない駆動制御装置によって第１電極１５と第２電極１７とに電圧が印加されて有機ＥＬ層１６が発光する。すなわち、有機ＥＬ層１６から光が発せられる。有機ＥＬ素子１４は一般に等方向光出射性を備え、有機ＥＬ層１６の各位置を点光源とみなした場合に、この位置から全方向へ概略同一の量の光が発せられる。このように発せられた光は、その進行方向に応じて以下の経路で照明装置外部へ出射される。
【００４２】
（Ｉ）有機ＥＬ層１６から第１電極１５を介して透明基板１３に入射した光
透明基板１３の光出射面１３ａに対して、その臨界角よりも小さな角度で入射した光は光出射面１３ａから外部へ取り出される。上記臨界角よりも大きな角度で入射した光は、光出射面１３ａにおいて有機ＥＬ素子１４側へ全反射される。このように全反射された光は、透明基板１４内を導波し、その一部又は全部が光散乱手段としての接着剤１２に入射する。つまり、透明基板１３に入射された光のうち、透明基板１３の屈折率と散乱板１９の屈折率とで決定される臨界角未満の角度の光は、光出射面１３ａから出射される。一方、臨界角以上の光は、光出射面１３ａで全反射され、その多くは、透明基板１３内を導波する。透明基板１３内を導波する光は、透明基板１３の端面から隣り合うパネル１１間の接着剤１２内に進む。
【００４３】
（ＩＩ）第１電極１５から透明基板１３へ入射できなかった光
このような光は、有機ＥＬ素子１４内を導波し、その一部が接着剤１２に入射する。
【００４４】
（ＩＩＩ）有機ＥＬ層１６から第２電極１７側へ出射された光
第２電極１７が反射電極とされている場合には上記光のほぼすべてが、第２電極１７が反射電極とされていない場合には有機ＥＬ層１６と第２電極１７との界面（若しくは第２電極１７内における上記界面に相対する面）における臨界角よりも大きな角度で入射した光が、有機ＥＬ層１５側へ反射される。このように反射された光は、その内の全部又は一部が上記（Ｉ）又は（ＩＩ）に記した経路を辿る。
【００４５】
（ＩＶ）接着剤１２に入射した光
接着剤１２に入射した光は、その一部又はすべてが光散乱手段によって散乱される。そして、照明装置１１の光出射側へ進行方向が変えられた光は、接着剤１２から外部へ出射される。すなわち、光散乱手段に到達した光が散乱され、その一部が光出射面１３ａ側から出射される。
【００４６】
したがって、例えば、有機ＥＬ素子１４から透明基板１３に入射した光のうち光出射面１３ａで全反射された光の多くは、透明基板１３を導波し、透明基板１３端部から出射されてしまい従来は利用できなかった（取り出すことができなかった）光は、透明基板１３の端面から隣り合うパネル１１間の接着剤１２内に進む。そして、接着剤１２内に進んだ光のうち、光散乱手段に到達した光が散乱されて光出射面１３ａ側に出射される。
【００４７】
これ以外の光は、隣接する透明基板１１や有機ＥＬ素子１６に入射し、それぞれ上記（Ｉ）や（ＩＩ）に示す経路を辿る。また、接着剤１２における光出射面１３ａとは反対側に進んだ光は、この側に前記したように反射部材が設けられている場合には光出射面側に反射される。このように反射された光は、その一部又は全部が光出射面１３ａから外部へ出射される。また外部へ出射されなかった光は、隣接する透明基板１１や有機ＥＬ素子１６に入射し、それぞれ上記（Ｉ）や（ＩＩ）に示す経路を辿る。
【００４８】
なお、照明装置１１に散乱板１９を設けた場合には、光出射面１３ａから外部へ出射された光は、散乱板１９によって散乱（拡散）される。
照明装置１１は、以上の作用を有するため、以下のような効果を奏する。
【００４９】
［効果］
（１）光出射面１３ａ全面から光が出射される。
前記したように、照明装置における有機ＥＬ素子１４が設けられていない部分（パネル１１の周縁部／繋ぎ目部分／隣り合うパネル１１間／接着剤１２の部分）からも光が出射されるからである。したがって、各パネル１１の周縁部や各パネル１１間の繋ぎ目部分が、有機ＥＬ素子１４が設けられた部分と比べて、極端に暗くなるのを抑制することが可能となったり、同等の量の光を出射することが可能となったりする。つまり、接着剤１２を用いていない、パネル１１を並べただけの照明装置と比べて輝度むらを抑制することが可能となる。
また、透明基板１３の光出射面１３ａ上に散乱板１９を備えれば、照明装置における有機ＥＬ素子１４が設けられた部分と周縁部や繋ぎ目部分との輝度の差をより少なくすることができる。
【００５０】
この効果は、光散乱手段としての接着剤１２を設けていることと、パネル１１としてボトムエミッション型の有機ＥＬデバイスを用いていることによって得られている。
ボトムエミッション型の有機ＥＬデバイスを用いているため、従来、透明基板１３の端面から外部へ出射され、利用することのできなかった光を、透明基板１３を導波させて接着剤１２に導光し、接着剤１２から装置外部へ出射する、というように発想の転換を図ったためである。
【００５１】
（２）照明装置１０を構成するパネル１１は、それぞれ概略同一構成にすることができる。また、パネル１１に特別な加工を施したり、パネル１１にダメージを与えたりせずに照明装置１０に組み込むことができる。
パネル１１同士は接着剤１２によって接合されているからである。したがって、照明装置１０の製造がトータルとして容易になったり、実質的な部品点数を減らすことが可能となったり、パネル１１を交換する際にパネル１１の種類を選択したりパネル１１に加工を施したりする必要がない。
【００５２】
（３）一つの有機ＥＬ素子／有機ＥＬデバイスで構成された照明装置よりも発光領域を広くすることができる。
前記したように、発光領域の大きな有機ＥＬ素子を作製することは実際的に困難であり、その領域の大きさによっては実質的に作製不能となるが、照明装置１０は、採用するパネル１１の数を変えるだけで所望の発光領域を実現できるからである。
【００５３】
（４）一つの有機ＥＬ素子／有機ＥＬデバイスで構成された照明装置よりも歩留まりをよくすることができる。
同一の発光領域の照明装置を作成する場合に、一つの有機ＥＬ素子／有機ＥＬデバイスでこの照明装置を構成すると、前記したように輝度ムラ等の不良が発生してしまい、製品として使用できないものができてしまう可能性が高い。これに対し、照明装置１０は、小型の有機ＥＬデバイス１１を作製し、これを前記したように構成すればよいので、製品として使用できない有機ＥＬデバイスが作製される可能性は前記例よりも極めて低くできる。したがって、歩留まりをよくすることが可能となる。
【００５４】
（５）一つの有機ＥＬ素子／有機ＥＬデバイスで構成された照明装置よりも装置の寿命を長くすることが可能となる。
一つの有機ＥＬ素子で照明装置を構成した場合には、輝度ムラが生じてしまったり、ダークスポットが発生してしまったりすることで、実質的に使用できなくなることがある。
一方、照明装置１０は、一つのパネル１１に上記したような不良が発生したとしても、発光領域全体から見れば、実質的に不良を目視で確認できないことがあり、上記場合よりも装置の寿命を長くすることが可能となる。
【００５５】
（６）複数の有機ＥＬデバイスを、照明装置としての所定の位置に組み込む場合と比べて、組み込みが容易となる。すなわち取り扱いが容易となる。
複数の有機ＥＬデバイスを、例えば液晶表示装置のバックライトに組み込む場合、それぞれのデバイスが独立しているため、これらをそれぞれ所定の位置に組み込むには、複数の部材を所定の位置に固定するための特別な部材を用意する必要があり、また、デバイスごとに組み込み作業を行わなければならない。
これに対し、照明装置１０は、各パネル１１が接着手段としての接着剤１２により接合されているため、前記したように液晶表示装置のバックライトに組み込む場合には、従来同様のバックライト組込部材と同等の部材を用いれば固定でき、また、照明装置１０を一体として組み込むことが可能となる。つまり、それぞれのパネル１１が接着手段としての接着剤１２により接合されているため照明装置１０を例えば液晶表示装置に組み込む場合等に取り扱いが容易になるとともに、構成を簡単にし得る。
このように、照明装置１０を所定の位置に組み込むのに特別な部材を用意する必要がなく、また、その組込方法も特別な方法を使用する必要がなくなる。
【００５６】
また、接着手段としての接着剤１２が光散乱手段としての機能を備えているため、接着手段と光散乱手段とを別々に設ける場合に比較して構成が簡単にし得る。
ただし、後述する通り、光散乱手段に接着機能を持たせなくても、上記同等の効果を得ることができる。
【００５７】
次に、照明装置１０の変形例を説明する。なお、以下に示す変形例は、互いに矛盾しない範囲で適宜組み合わせて採用することも可能である。当然、既に記載した変形例も適宜採用することができ、上記した変形例と以下の変形例とを組み合わせた構成とすることも当然に可能である。
【００５８】
〈変形例〉
○光散乱部材１２は接着手段としての機能を有していなくてもよい。つまり、接着剤で構成しなくてもよい。
具体的には、光散乱部材１２を、透明な主体中に、この主体と屈折率の異なるビーズや気泡等の部材を設けたものとし、これを透明基板１３間に配置してもよい。この主体中に、レーザーマーキング方法などによって主体の材質を変質させ、主体とは屈折率の異なる部分を作製してもよい。また、このような光散乱部材を透明基板１３に接着剤等によって貼り合わせてもよい。
【００５９】
○散乱板１９を各透明基板１３に密着させる代わりに、透明基板１３の光出射面１３ａに、光を散乱させることができる程度の大きさの凹凸を複数設けても、同等の効果を得ることができる。
【００６０】
○ＥＬ素子として無機ＥＬ素子を用いてもよい。無機ＥＬ素子は、第１電極と第２電極との間に、絶縁層に狭持された無機ＥＬ層を有する。無機ＥＬ層には公知の無機発光材料が含有される。
【００６１】
次に第２の実施形態に係る照明装置を図３，４に従って説明する。図３は、第２の実施形態に係る照明装置の模式断面図であり、図４は第２の実施形態に係る照明装置の平面図である。なお、第１の実施の形態に係る照明装置と同等若しくは類似の構成要素には同一の符号を付し、その詳細な説明は省略する。
【００６２】
（第２の実施形態）
第２の実施の形態に係る照明装置は、光散乱手段として主としてゲルで構成された若しくはゲルのみで構成された光散乱部材（ゲル状体）２０を用いている点が第１の実施の形態に係る照明装置と異なる。
【００６３】
隣り合うパネル１１の透明基板１３の端面間には光散乱部材２０が介在されている。また、照明装置１０は、隣り合うパネル１１同士が相互に近づく方向に圧力が加わるように扁平な枠２１を備えており、枠２１の片面に底板２２を備えている。パネル１１は保護膜１８が底板２２と接触するように２１内に敷き詰められている。
【００６４】
光散乱部材２０は光散乱手段として機能するように、光散乱部材２０の屈折率と屈折率の異なる透明な粒体が分散されている。光散乱部材２０は、例えば、シリコンゲルの中に屈折率の異なる粒体が分散されており、その屈折率が異なる粒体によって光が散乱する。
【００６５】
この第２の実施形態によれば、第１の実施形態に係る照明装置と同等の効果を奏する。また、以下のような効果も奏する。
（７）透明基板１３端面から光散乱部材２０内へ入射する光の量を、固体の光散乱部材を用いた場合よりも多くすることができる。
光散乱部材２０は、主としてゲルで構成されているため、透明基板１３端面に密着でき、透明基板１３との界面が実質的になくなるからである。
つまり、隣り合うパネル１１の透明基板１３の端面間にゲル状体２０が形成されているため、隣り合うパネル１１の間に埋めることができる。すなわち、ゲル状体２０と透明基板１３の端面とを密着させることができる。したがって、各有機ＥＬ素子１４から透明基板１３に入射した光のうち、光出射面１３ａに臨界角以上の角度で進入した光を、ゲル状体２０内に進み易くすることができる。
【００６６】
ただし、ゲル状体２０と透明基板１３との間に隙間があってもほぼ同等の効果を得ることができる。
【００６７】
（８）照明装置１０をある程度フレキシブルにすることができる。
すなわち、ある程度の弾力性をもたせることも可能となる。パネル１１同士がゲルを介して接合しているため、照明装置１０にある程度の力が加わっても、隣り合うパネル１１同士の接続が壊れる可能性が低くできるからである。
（９）パネル１１を個別に交換することができる。
照明装置１０は、不良が発生したパネル１１を個別に新しいパネル１１に取り替えれば、照明装置１０における不良部分を取り除くことができ、一つのＥＬ素子により同じ大きさの照明装置１０を形成した場合や、パネル１１が個別に交換できない場合よりも装置の寿命を長くできる。特に、上記第１〜第３の従来技術と比較して、各パネルはそれぞれ同一構成のパネルを採用できる。また、取り替える際に特別な作業が必要になるといったことも生じにくい。
【００６８】
なお、第２の実施の形態に係る照明装置は、第１の実施の形態に係る照明装置と同様に、その本旨を変更しない範囲で同様に変更することができ、また、以下のように変形することもできる。これらの変形例を適宜組み合わせた構成にすることも当然に可能である。
【００６９】
○透明基板１３の端部間を、ゲル／光散乱部材／ゲルと構成してもよい。
これにより、ゲルにより生じる密着性や弾力性によって得られる前記した各効果を奏することができ、また、光散乱部材として第１の実施の形態に係る照明装置に用いたような光散乱部材を採用することが可能となる。
【００７０】
○ゲルの代わりにスラリー状の物質や液体によって光散乱部材２０を構成してもよい。この場合、この物質が透明基板１３の端面間に留まるように、端面間を密封するとよい。密封方法としては、例えば、有機ＥＬ素子１４の保護膜や封止缶と同様の封止方法を用いてもよい。
【００７１】
次に、第３の実施の形態に係る照明装置を、図５，６に従って説明する。図５は、第２の実施形態に係る照明装置の模式断面図であり、図６は第２の実施形態に係る照明装置の平面図である。なお、第１〜第２の実施の形態に係る照明装置と同等若しくは類似の構成要素には同一の符号を付し、その詳細な説明は省略する。
【００７２】
（第３の実施形態）
光散乱手段としてパネル１１の透明基板１３の端面１３ｃを粗面化し、端面１３ｃが第二の光散乱手段として機能する。つまり、第１〜第２のように、光散乱手段としての部材を別個設ける必要がない。
【００７３】
具体的には、光出射面１３ａと当該面に相対する側に設けられた光出射面１３ｂとを備えた透明基板１３と、透明基板１３の光入射面上に設けられた有機ＥＬ素子１４とを有するパネル１１が複数並べられて構成された照明装置である。パネル１１における光入射面１３ｂ又は光出射面１３ａは、概略同一の平面状に位置し、各パネル１１における有機ＥＬ素子１４が当該平面を基準として同一側に存在するように配置されている。そして、各透明基板１３の端面１３ｃがそれぞれ光散乱手段とされ、ＥＬ素子から発せられた光が透明基板の光出射面を介して装置外部へ取り出される。
【００７４】
端面１３ｃは、例えば光を散乱させる程度の大きさの凹凸が複数設けられたり、透明基板とは屈折率の異なる透明部材が複数貼り合わせられたりすることで光散乱手段として機能する。
【００７５】
透明基板１３の端面１３ｃに到達（導光）された光は、光散乱手段としての端面１３ｃによって散乱されるため、その一部又は全部が、照明装置から外部へ「取り出す」ことが可能となる。つまり、「利用」することが可能となる。
【００７６】
なお、照明装置は、さらに、隣り合うパネル間に光散乱部材が設けられていてもよい。このように構成すれば、端面１３ｃによって装置外部へ取り出されなかった光の一部又は全部を取り出すことが可能となる。
【００７７】
また、第３の実施の形態に係る照明装置は、第１〜第２の照明装置と同様に、その趣旨を変更しない範囲内で変形することができうる。
【００７８】
次に、第４の実施の形態に係る照明装置を、図７，８に従って説明する。図７は、第２の実施形態に係る照明装置の模式断面図であり、図８は第２の実施形態に係る照明装置の平面図である。なお、第１〜第２の実施の形態に係る照明装置と同等若しくは類似の構成要素には同一の符号を付し、その詳細な説明は省略する。
【００７９】
（第４の実施形態）
第４の実施の形態に係る照明装置は、光出射面１３ａと当該面に相対する側に設けられた光出射面１３ｂとを備えた透明基板１３と、透明基板１３の光入射面１３ｂ上に設けられた有機ＥＬ素子１４とを有するパネル１１が複数並べられて構成された照明装置である。そして、照明装置は、各パネル１１における光入射面１３ｂ又は光出射面１３ａが、概略同一の平面状に位置し、各パネル１１における有機ＥＬ素子１４が当該平面を基準として同一側に存在するように配置され、透明基板１３よりも光出射面１３ａ側に散乱板１９を備えている。
【００８０】
この構成においても、有機ＥＬ素子１４が形成されている部分と形成されていない部分との出射光量の差を、散乱板１９を用いて平均化するため、両部分における輝度の差を小さくすることが可能となる。特に、有機ＥＬ素子１４が設けられていない部分の幅が狭い場合には、本実施形態に係る照明装置でも前記したような効果を十分に奏する。
【００８１】
なお、第４の実施の形態に係る証明装置において、パネル１１間に、前記したような光散乱部材を配置してもよいことは当然である。
【図面の簡単な説明】
【００８２】
【図１】第１の実施形態の模式断面図。
【図２】第１の実施形態の模式平面図。
【図３】第２の実施形態の模式断面図。
【図４】第２の実施形態の模式平面図。
【図５】第３の実施形態の模式断面図。
【図６】第３の実施形態の模式平面図。
【図７】第４の実施形態の模式断面図。
【図８】第４の実施形態の模式平面図。
【符号の説明】
【００８３】
１０…照明装置、１１…パネル、１２…接着手段及び光散乱手段としての接着剤、１３…透明基板、１３ａ…光出射面、１３ｂ…光入射面、１３ｃ…端面、１４…ＥＬ素子としての有機ＥＬ素子、１５…第１電極、１６…有機ＥＬ層、１７…第２電極、１８…保護層、１９…散乱板、２０…光散乱手段としてのゲル状体。
【図１】
2005183352.tif 000003
【図２】
2005183352.tif 000004
【図３】
2005183352.tif 000005
【図４】
2005183352.tif 000006
【図５】
2005183352.tif 000007
【図６】
2005183352.tif 000008
【図７】
2005183352.tif 000009
【図８】
2005183352.tif 000010